(57)【要約】【課題】着座者の体格差を吸収することができ、且つ着座者の大腿部が前方に向かって下方に傾斜した状態で大腿部と体幹とのなす角度を鈍角に容易に保持することができる椅子を提供する。【解決手段】椅子１０は、座部１８と背もたれ部２０とを備える。背もたれ部２０の左右方向の両側部には、背もたれ部２０の左右方向の中央部よりも前方に突出して着座者３００の腰部３０８を両側から支持可能な前方延出部４８Ｌ、４８Ｒが設けられている。背もたれ部２０は、左右一組の前方延出部４８Ｌ、４８Ｒの間隔Ｌ２が調整可能に構成されている。【選択図】図１
2018166705.tif 000002
【特許請求の範囲】
【請求項１】
座部と背もたれ部とを備え、着座者の大腿部が前方に向かって下方に傾斜した状態で前記大腿部と体幹とのなす角度を鈍角に保持可能な椅子であって、
前記背もたれ部の左右方向の両側部には、前記背もたれ部の左右方向の中央部よりも前方に突出して前記着座者の腰部を両側から支持可能な前方延出部が設けられ、
前記背もたれ部は、左右一組の前記前方延出部の間隔が調整可能に構成されている、
ことを特徴とする椅子。
【請求項２】
請求項１記載の椅子において、
前記背もたれ部は、
前記背もたれ部の左右方向の中央に設けられて上下方向に延在した軸部と、
前記前方延出部を有するとともに前記軸部に対して回動可能に設けられて上下方向に延在した左右一組の支持部と、を備える、
ことを特徴とする椅子。
【請求項３】
請求項１記載の椅子において、
前記背もたれ部は、
前記背もたれ部の左右方向の中央に位置する背もたれ部本体と、
前記背もたれ部本体の左右方向の両側に設けられて上下方向に延在した左右一組の軸部と、
前記前方延出部を有するとともに前記軸部に対して回動可能に設けられて上下方向に延在した左右一組の支持部と、を備える、
ことを特徴とする椅子。
【請求項４】
請求項１記載の椅子において、
前記背もたれ部は、左右一組の前記前方延出部の間に前記着座者が位置することによって左右一組の前記前方延出部の間隔を押し広げることが可能なように弾性変形可能に構成されている、
ことを特徴とする椅子。
【請求項５】
請求項１記載の椅子において、
前記背もたれ部は、
前記前方延出部を有する左右一組の支持部と、
前記支持部を左右方向にスライド可能に支持するスライド部と、を有する、
ことを特徴とする椅子。
【請求項６】
請求項１記載の椅子において、
前記背もたれ部は、
前記背もたれ部の左右方向の中央に位置する背もたれ部本体と、
前記前方延出部を有するとともに前記背もたれ部本体の左右方向の両側に設けられた左右一組の支持部と、
各前記支持部を前記背もたれ部に対してスライド可能に支持するスライド部と、を備える、
ことを特徴とする椅子。
【発明の詳細な説明】
【技術分野】
【０００１】
本発明は、座部と背もたれ部とを備え、着座者の大腿部が前方に向かって下方に傾斜した状態で前記大腿部と体幹とのなす角度を鈍角に保持可能な椅子に関する。
【背景技術】
【０００２】
例えば、特許文献１には、座面の前端が下方に傾斜するように座部と背もたれ部とのなす角度を鈍角に保持することが可能な椅子が記載されている。
【先行技術文献】
【特許文献】
【０００３】
【特許文献１】特表昭６３−５０３２８４号公報
【発明の概要】
【発明が解決しようとする課題】
【０００４】
本発明者は、鋭意検討を重ね、着座者の大腿部が前方に向かって下方に傾斜した状態で大腿部と体幹とのなす角度を鈍角に保持した場合、着座者の骨盤が起立し易くなり、その結果、胸郭を広げて深い呼吸をし易くなるため脳に十分な酸素を送ることができ、着座者の集中力を高めることができることを見出した。
【０００５】
上述した特許文献１のような従来技術では、着座者の骨盤を保持するものがないため、大腿部と体幹とのなす角度を鈍角に保持することが容易ではないという問題がある。
【０００６】
本発明は、このような課題を考慮してなされたものであり、着座者の体格差を吸収することができ、且つ着座者の大腿部が前方に向かって下方に傾斜した状態で大腿部と体幹とのなす角度を鈍角に容易に保持することができる椅子を提供することを目的とする。
【課題を解決するための手段】
【０００７】
上記目的を達成するために、本発明に係る椅子は、座部と背もたれ部とを備え、着座者の大腿部が前方に向かって下方に傾斜した状態で前記大腿部と体幹とのなす角度を鈍角に保持可能な椅子であって、前記背もたれ部の左右方向の両側部には、前記背もたれ部の左右方向の中央部よりも前方に突出して前記着座者の腰部を両側から支持可能な前方延出部が設けられ、前記背もたれ部は、左右一組の前記前方延出部の間隔が調整可能に構成されていることを特徴とする。
【０００８】
このような構成によれば、前方延出部によって着座者の腰部を両側から支持することによって骨盤を保持することができるため、着座者の大腿部が前方に向かって下方に傾斜した状態で大腿部と体幹とのなす角度を鈍角に容易に保持することができる。また、左右一組の前方延出部の間隔が調整可能であるため、着座者の体格差（腰部の幅寸法の違い）を吸収することができる。
【０００９】
上記の椅子において、前記背もたれ部は、前記背もたれ部の左右方向の中央に設けられて上下方向に延在した軸部と、前記前方延出部を有するとともに前記軸部に対して回動可能に設けられて上下方向に延在した左右一組の支持部と、を備えていてもよい。
【００１０】
このような構成によれば、軸部を中心に支持部を回動させることにより、着座者の好みに合わせて左右一組の前方延出部の間隔を調整することができる。
【００１１】
上記の椅子において、前記背もたれ部は、前記背もたれ部の左右方向の中央に位置する背もたれ部本体と、前記背もたれ部本体の左右方向の両側に設けられて上下方向に延在した左右一組の軸部と、前記前方延出部を有するとともに前記軸部に対して回動可能に設けられた左右一組の支持部と、を備えていてもよい。
【００１２】
このような構成によれば、左右一組の前方延出部の間隔をより細かく調整することができる。
【００１３】
上記の椅子において、前記背もたれ部は、左右一組の前記前方延出部の間に前記着座者が位置することによって左右一組の前記前方延出部の間隔を押し広げることが可能なように弾性変形可能に構成されていてもよい。
【００１４】
このような構成によれば、簡単な構成によって着座者の体格差を吸収することができる。
【００１５】
上記の椅子において、前記背もたれ部は、前記前方延出部を有する左右一組の支持部と、前記支持部を左右方向にスライド可能に支持するスライド部と、を有していてもよい。
【００１６】
このような構成によれば、支持部を左右方向にスライドさせることにより、着座者の好みに合わせて左右一組の前方延出部の間隔を調整することができる。
【００１７】
上記の椅子において、前記背もたれ部は、前記背もたれ部の左右方向の中央に位置する背もたれ部本体と、前記前方延出部を有するとともに前記背もたれ部本体の左右方向の両側に設けられた左右一組の支持部と、各前記支持部を前記背もたれ部に対してスライド可能に支持するスライド部と、を備えていてもよい。
【００１８】
このような構成によれば、左右一組の前方延出部の間隔をより細かく調整することができる。
【発明の効果】
【００１９】
本発明によれば、前方延出部によって着座者の腰部を両側から支持することによって骨盤を保持することができるため、着座者の大腿部が前方に向かって下方に傾斜した状態で大腿部と体幹とのなす角度を鈍角に容易に保持することができる。また、左右一組の前方延出部の間隔が調整可能であるため、着座者の体格差（腰部の幅寸法の違い）を吸収することができる。
【図面の簡単な説明】
【００２０】
【図１】本発明の一実施形態に係る椅子の斜視図である。
【図２】前記椅子の縦断面図である。
【図３】図３Ａは前記椅子の座部及び基部の横断面図であり、図３Ｂは前記椅子の背もたれ部の横断面図である。
【図４】前記椅子の側面図である。
【図５】使用者が前記椅子に着座した状態を説明する側面図である。
【図６】図６Ａは第１変形例に係る背もたれ部を示す横断面図であり、図６Ｂは第２変形例に係る背もたれ部を示す横断面図であり、図６Ｃは第３変形例に係る背もたれ部を示す横断面図であり、図６Ｄは第４変形例に係る背もたれ部を示す横断面図である。
【発明を実施するための形態】
【００２１】
以下、本発明に係る椅子について好適な実施形態を挙げ、添付の図面を参照しながら説明する。以下の実施形態に示す椅子は、学校等で学習机と組み合わせて好適に用いることができるものである。ただし、椅子は、任意の用途に用いることができる。
【００２２】
図１に示すように、本発明の一実施形態に係る椅子１０は、２本の前脚１２と、２本の後脚１４と、前脚１２及び後脚１４に支持された基部１６と、基部１６に設けられた座部１８と、座部１８に設けられた背もたれ部２０とを備える。
【００２３】
前脚１２は、上下方向に延在しており、横断面がＵ字状に形成されている。前脚１２には、上下方向に沿って複数の高さ調整孔２２が等間隔に形成されている。前脚１２の構成材料としては、例えば、金属、硬質樹脂、木材等が挙げられる。後脚１４は、前脚１２よりも上下方向に長く形成されている点以外、前脚１２と同様に構成されている。
【００２４】
前後方向に並ぶ前脚１２と後脚１４とは、補強部材２４によって連結されている。補強部材２４は、ボルト２５ａを補強部材２４に形成された図示しない挿通孔と高さ調整孔２２とに挿通させた状態でナット２５ｂに螺合させることによって前脚１２及び後脚１４のそれぞれに対して固定される。補強部材２４の高さ位置は、高さ調整孔２２に合わせて任意に変更可能である。
【００２５】
基部１６は、略四角板状に形成されている。基部１６の構成材料としては、例えば、前脚１２の構成材料と同様のものが挙げられる。基部１６には、固定孔２６が形成されている。基部１６は、４つのブラケット２８によって前脚１２及び後脚１４のそれぞれに固定されている。ブラケット２８は、例えば、図示しないボルトを固定孔２６に螺合することによって基部１６に対して固定されるとともにボルト２９ａを高さ調整孔２２に挿通させた状態でナット２９ｂに螺合させることによって前脚１２又は後脚１４に対して固定される。基部１６は、上面が前方に向かって下方に傾斜するように前脚１２及び後脚１４のそれぞれに対して固定される。
【００２６】
図１及び図２に示すように、座部１８は、基部１６の上面の中央部分に接合された台座３０と、台座３０の上面に設けられた第１クッション部３２と第２クッション部３４とを有する。台座３０の構成材料としては、例えば、前脚１２の構成材料と同じものが挙げられる。台座３０と基部１６は、一体成型品であってもよい。
【００２７】
第１クッション部３２及び第２クッション部３４のそれぞれは、例えば、ウレタン等の柔軟な材料によって構成されている。第１クッション部３２の硬度は、第２クッション部３４の硬度よりも高い。
【００２８】
図１〜図３Ａに示すように、座部１８は、左右方向の中央に位置する座部本体３６と、座部本体３６の左右方向の両側に位置するとともに上方に突出して着座者３００の臀部３０６及び大腿部３０２を両側から支持可能な左右一組の上方延出部３８Ｌ、３８Ｒとを有する（図５参照）。座部本体３６の前方部分は第１クッション部３２を有し、座部本体３６の後方部分は第２クッション部３４を有している。図１及び図２において、座部本体３６の上面である座面３６ａには、着座者３００の臀部３０６を支持する凹部４０が形成されている。凹部４０は、座部本体３６の第２クッション部３４に形成されている。座面３６ａの前端は、座面３６ａの後端よりも下方に位置している。凹部４０及び第１クッション部３２は、着座者３００の着座位置を維持するための着座位置維持部として機能する。
【００２９】
座部１８の台座３０は、左右一組の上方延出部３８Ｌ、３８Ｒの間隔Ｌ１が調整可能に構成されている。具体的には、台座３０は、左右一組の上方延出部３８Ｌ、３８Ｒの間に着座者３００が位置することによって左右一組の上方延出部３８Ｌ、３８Ｒの間隔Ｌ１を押し広げることが可能なように弾性変形可能に構成されている。図１において、上方延出部３８Ｌ、３８Ｒは、座部本体３６の前後方向の全長に亘って延在している。上方延出部３８Ｌ、３８Ｒは、その略全体に亘って第２クッション部３４を有している。
【００３０】
図１及び図３Ｂに示すように、背もたれ部２０は、台座３０に設けられた背板部４２と、背板部４２の前面に設けられたクッション部４４とを有する。背板部４２の構成材料としては、例えば、前脚１２の構成材料と同じものが挙げられる。背板部４２は、台座３０に対して一体的に設けられている。ただし、台座３０に対して分離した状態で背板部４２は、基部１６に設けられていてもよい。クッション部４４は、例えば、ウレタン等の柔軟な材料によって構成されている。クッション部４４の硬度は、第１クッション部３２の硬度よりも低く、第２クッション部３４の硬度と略同じである。
【００３１】
背もたれ部２０は、左右方向の中央に位置する背もたれ部本体４６と、背もたれ部本体４６の左右方向の両側に位置するとともに前方に突出して着座者３００の腰部３０８を両側から支持可能な左右一組の前方延出部４８Ｌ、４８Ｒとを有する（図５参照）。
【００３２】
背もたれ部２０は、左右一組の前方延出部４８Ｌ、４８Ｒの間隔Ｌ２が調整可能に構成されている。具体的には、背もたれ部２０は、左右一組の前方延出部４８Ｌ、４８Ｒの間に着座者３００が位置することによって左右一組の前方延出部４８Ｌ、４８Ｒの間隔Ｌ２を押し広げることが可能なように弾性変形可能に構成されている。前方延出部４８Ｌ、４８Ｒは、背もたれ部本体４６の上方部分に設けられている。
【００３３】
図４に示すように、背もたれ部２０は、後方へ負荷が作用することによって後倒可能であり、且つ負荷を除去又は低減することによって所定の角度位置に戻るように構成されている。すなわち、背もたれ部２０は、台座３０と背板部４２との連結部分が撓むことによって後倒可能に構成されている。
【００３４】
このように構成された椅子１０は、図５に示すように、着座者３００の大腿部３０２が前方に向かって下方に傾斜した状態で大腿部３０２と体幹３０４とのなす角度θを鈍角に保持することができる。そのため、着座者３００の骨盤が起立し易くなり、その結果、胸郭を広げて深い呼吸をし易くなるため脳に十分な酸素を送ることができ、着座者３００の集中力を高めることができる。
【００３５】
次に、本実施形態に係る椅子１０の効果について説明する。
【００３６】
椅子１０は、座部１８と背もたれ部２０とを備え、着座者３００の大腿部３０２が前方に向かって下方に傾斜した状態で大腿部３０２と体幹３０４とのなす角度θを鈍角に保持可能に構成されている。背もたれ部２０の左右方向の両側部には、背もたれ部２０の左右方向の中央部よりも前方に突出して着座者３００の腰部３０８を両側から支持可能な前方延出部４８Ｌ、４８Ｒが設けられている。背もたれ部２０は、左右一組の前方延出部４８Ｌ、４８Ｒの間隔Ｌ２が調整可能に構成されている。
【００３７】
これにより、前方延出部４８Ｌ、４８Ｒによって着座者３００の腰部３０８を両側から支持することによって骨盤を保持することができるため、着座者３００の大腿部３０２が前方に向かって下方に傾斜した状態で大腿部３０２と体幹３０４とのなす角度θを鈍角に容易に保持することができる。また、左右一組の前方延出部４８Ｌ、４８Ｒの間隔Ｌ２が調整可能であるため、着座者３００の体格差（腰部３０８の幅寸法の違い）を吸収することができる。
【００３８】
背もたれ部２０は、左右一組の前方延出部４８Ｌ、４８Ｒの間に着座者３００が位置することによって左右一組の前方延出部４８Ｌ、４８Ｒの間隔Ｌ２を押し広げることができるように弾性変形可能に構成されている。これにより、簡単な構成によって着座者３００の体格差を吸収することができる。
【００３９】
椅子１０は、背もたれ部２０に代えて図６Ａ〜図６Ｄに示す背もたれ部２０ａ〜２０ｄを有していてもよい。これら背もたれ部２０ａ〜２０ｄは、左右一組の前方延出部４８Ｌ、４８Ｒの間隔Ｌ２を調整するための間隔調整機構を備えたものであり、間隔調整機構以外の構成については、基本的に上述した背もたれ部２０と同様に構成されている。
【００４０】
図６Ａに示すように、背もたれ部２０ａは、背もたれ部２０ａの左右方向の中央に設けられて上下方向に延在した軸部５０と、前方延出部４８Ｌ、４８Ｒを有するとともに軸部５０に対して回動可能に設けられた左右一組の支持部５２Ｌ、５２Ｒとを備える。
【００４１】
背もたれ部２０ａには、前方延出部４８Ｌ、４８Ｒが互いに近接する方向に支持部５２Ｌ、５２Ｒを付勢する付勢部材５４が設けられている。付勢部材５４は、コイルばね５６と、コイルばね５６の内孔に配置されたばね支持部５８とを有する。コイルばね５６の一端は支持部５２Ｌの裏面に固着され、コイルばね５６の他端は支持部５２Ｒの裏面に固着されている。これにより、軸部５０を中心に支持部５２Ｌ、５２Ｒを回動させることにより、着座者３００の好みに合わせて左右一組の前方延出部４８Ｌ、４８Ｒの間隔Ｌ２を調整することができる。
【００４２】
図６Ｂに示すように、背もたれ部２０ｂは、背もたれ部２０ｂの左右方向の中央に位置する背もたれ部本体６０と、背もたれ部本体６０の左右方向の両側に設けられて上下方向に延在した左右一組の軸部６２Ｌ、６２Ｒと、前方延出部４８Ｌを有するとともに軸部６２Ｌに対して回動可能に設けられた支持部６４Ｌと、前方延出部４８Ｒを有するとともに軸部６２Ｒに対して回動可能に設けられた支持部６４Ｒとを備える。
【００４３】
背もたれ部２０ｂには、前方延出部４８Ｌ、４８Ｒが互いに近接する方向に支持部６４Ｌ、６４Ｒを付勢する付勢部材６６Ｌ、６６Ｒが設けられている。付勢部材６６Ｌは、支持部６４Ｌを付勢するコイルばね６８と、コイルばね６８の内孔に配置されたばね支持部７０とを有する。コイルばね６８の一端は支持部６４Ｌの裏面に固着され、コイルばね６８の他端は背もたれ部本体６０の裏面に固着されている。
【００４４】
付勢部材６６Ｒは、支持部６４Ｒを付勢するコイルばね７２と、コイルばね７２の内孔に配置されたばね支持部７４とを有する。コイルばね７２の一端は支持部６４Ｒの裏面に固着され、コイルばね７２の他端は背もたれ部本体６０の裏面に固着されている。このような背もたれ部２０ｂによれば、左右一組の前方延出部４８Ｌ、４８Ｒの間隔Ｌ２をより細かく調整することができる。
【００４５】
図６Ｃに示すように、背もたれ部２０ｃは、前方延出部４８Ｌ、４８Ｒを有する左右一組の支持部８０Ｌ、８０Ｒと、支持部８０Ｌ、８０Ｒを左右方向にスライド可能に支持するスライド部８２とを有する。各支持部８０Ｌ、８０Ｒは、スライド部８２に対して個別に左右方向に移動可能である。
【００４６】
スライド部８２は、基部１６に固定されたレール部８４と、レール部８４に摺動自在に設けられて支持部８０Ｌの裏面に固定された可動部８６Ｌと、レール部８４に摺動自在に設けられて支持部８０Ｒの裏面に固定された可動部８６Ｒと、レール部８４に対する可動部８６Ｌ、８６Ｒの摺動を停止させる図示しないロック機構とを有する。ロック機構は、例えば、特開２００９−２６２９３１号公報に記載のロック機構を用いることができる。このような背もたれ部２０ｃによれば、支持部８０Ｌ、８０Ｒを左右方向にスライドさせることにより、着座者３００の好みに合わせて左右一組の前方延出部４８Ｌ、４８Ｒの間隔Ｌ２を調整することができる。
【００４７】
図６Ｄに示すように、背もたれ部２０ｄは、背もたれ部２０ｄの左右方向の中央に位置する背もたれ部本体９０と、背もたれ部本体９０の左右方向の両側に設けられた左右一組の支持部９２Ｌ、９２Ｒと、各支持部９２Ｌ、９２Ｒを背もたれ部本体９０に対してスライド可能に支持するスライド部９４Ｌ、９４Ｒとを有する。支持部９２Ｌは前方延出部４８Ｌを有し、支持部９２Ｒは前方延出部４８Ｒを有する。
【００４８】
スライド部９４Ｌは、基部１６に固定されたレール部９６と、レール部９６に摺動自在に設けられて支持部９２Ｌの裏面に固定された可動部９８と、レール部９６に対する可動部９８の摺動を停止させる図示しないロック機構とを有する。スライド部９４Ｒは、基部１６に固定されたレール部１００と、レール部１００に摺動自在に設けられて支持部９２Ｒの裏面に固定された可動部１０２と、レール部１００に対する可動部１０２の摺動を停止させる図示しないロック機構とを有する。スライド部９４Ｌ、９４Ｒのロック機構は、上述したスライド部８２のロック機構と同様に構成することができる。このような背もたれ部２０ｄによれば、左右一組の前方延出部４８Ｌ、４８Ｒの間隔Ｌ２をより細かく調整することができる。
【００４９】
本発明は上述した構成に限定されない。基部１６は、前脚１２及び後脚１４に対して前後方向にスライド可能に構成されていてもよい。この場合、前後方向の任意の位置で基部１６をロックするロック機構を設けるのが好ましい。
【００５０】
本発明に係る椅子は、上述の実施形態に限らず、本発明の要旨を逸脱することなく、種々の構成を採り得ることはもちろんである。
【符号の説明】
【００５１】
１０…椅子                          １８…座部
２０…背もたれ部                    ４８Ｌ、４８Ｒ…前方延出部
３００…着座者
【図１】
2018166705.tif 000003
【図２】
2018166705.tif 000004
【図３】
2018166705.tif 000005
【図４】
2018166705.tif 000006
【図５】
2018166705.tif 000007
【図６】
2018166705.tif 000008